(57)【特許請求の範囲】
【請求項１】
基礎または土台と構造物との間に介在させる滑り免震装置において、複数枚の摺動板を互いに摺動可能に積層させて積層体を構成し、該積層体の平面部に、鉛直方向に複数の貫通穴を形成し、この複数の貫通穴のうち少なくとも一つにゴム状弾性体から成るゴムプラグを挿填し、残りの少なくとも一つの貫通穴に鉛プラグを挿填させて成り、前記鉛プラグを挿填する穴を円錐状に形成し、該円錐状の穴に円錐状に形成した鉛プラグを挿填すると共に、ネジを切った栓で封じ込めるようにした滑り免震装置。
【請求項２】
基礎または土台と構造物との間に介在させる滑り免震装置において、複数枚の摺動板を互いに摺動可能に積層させて積層体を構成し、該積層体の平面部に、鉛直方向に複数の貫通穴を形成し、この複数の貫通穴のうち少なくとも一つにゴム状弾性体から成るゴムプラグを挿填し、残りの少なくとも一つの貫通穴に鉛プラグを挿填させ、前記積層体の上下面及び周面を所定の厚さのゴム状弾性材料で被覆して成る滑り免震装置。
【請求項３】
基礎または土台と構造物との間に介在させる滑り免震装置において、複数枚の摺動板を互いに摺動可能に積層させて積層体を構成し、該積層体の平面部に、鉛直方向に複数の貫通穴を形成し、この複数の貫通穴のうち少なくとも一つにゴム状弾性体から成るゴムプラグを挿填し、残りの少なくとも一つの貫通穴に鉛プラグを挿填させ、前記積層体の貫通穴に挿填させたゴムプラグを、積層体の上下面を覆うゴム状弾性材料と連続して形成して成る滑り免震装置。
【請求項４】
基礎または土台と、構造物との間に介在させる滑り免震装置において、複数枚の摺動板を互いに摺動可能に積層させて積層体を構成し、該積層体の平面部に、鉛直方向に複数の貫通穴を形成し、この複数の貫通穴のうち少なくとも一つにゴム状弾性体から成るゴムプラグを挿填し、残りの少なくとも一つの貫通穴に、鉛プラグ、ガラスまたは樹脂製の複数のビーズ球、或いは複数の鋼球から成る球体をゴム状弾性体袋に入れて挿填し、前記積層体の上下面及び周面を所定の厚さのゴム状弾性材料で被覆して成る滑り免震装置。
【請求項５】
基礎または土台と、構造物との間に介在させる滑り免震装置において、複数枚の摺動板を互いに摺動可能に積層させて積層体を構成し、該積層体の平面部に、鉛直方向に複数の貫通穴を形成し、この複数の貫通穴のうち少なくとも一つにゴム状弾性体から成るゴムプラグを挿填し、残りの少なくとも一つの貫通穴に、鉛プラグ、ガラスまたは樹脂製の複数のビーズ球、或いは複数の鋼球から成る球体をゴム状弾性体袋に入れて挿填し、前記積層体の貫通穴に挿填させたゴムプラグを、積層体の上下面を覆うゴム状弾性材料と連続して形成して成る滑り免震装置。
【請求項６】
基礎または土台と、構造物との間に介在させる滑り免震装置において、複数枚の摺動板を互いに摺動可能に積層させて積層体を構成し、該積層体の平面部に、鉛直方向に複数の貫通穴を形成し、この複数の貫通穴のうち少なくとも一つにゴム状弾性体から成るゴムプラグを挿填し、残りの少なくとも一つの貫通穴に、ワイヤー束ダンパーを挿填し、前記積層体の上下面及び周面を所定の厚さのゴム状弾性材料で被覆して成る滑り免震装置。
【請求項７】
基礎または土台と、構造物との間に介在させる滑り免震装置において、複数枚の摺動板を互いに摺動可能に積層させて積層体を構成し、該積層体の平面部に、鉛直方向に複数の貫通穴を形成し、この複数の貫通穴のうち少なくとも一つにゴム状弾性体から成るゴムプラグを挿填し、残りの少なくとも一つの貫通穴に、ワイヤー束ダンパーを挿填し、前記積層体の貫通穴に挿填させたゴムプラグを、積層体の上下面を覆うゴム状弾性材料と連続して形成して成る滑り免震装置。
【請求項８】
前記積層体の貫通穴に挿填させたゴムプラグを、積層体の上下面を覆うゴム状弾性材料と連続して形成した請求項１，２，４または６に記載の滑り免震装置。
【請求項９】
前記積層体の平面部にテーパ状の穴を形成し、テーパ穴に風力により昇降するテーパー状の振動ストッパー部材を挿入して成る請求項１，２，３，４，５，６，７または８に記載の滑り免震装置。
【請求項１０】
前記ゴム状弾性体から成るゴムプラグ及び積層体の上下面及び周面を被覆するゴム状弾性材料を、高減衰ゴムで構成する請求項１，２，３，４，５，６，７，８または９に記載の滑り免震装置。
【発明の詳細な説明】
【０００１】
【発明の属する技術分野】
この発明は、滑り免震装置に係わり、更に詳しくは一戸建て住宅等の一般住宅の基礎または土台と、構造物の土台梁との間に介在させ、中小地震に対する横揺れ，上下振動に対して減衰効果と復元性とを持たせた滑り免震装置や、他の一般の建物や構造物の滑り型の免震装置に関するものである。
【０００２】
【従来の技術】
従来、地震等による横揺れ，上下振動に対する免震装置としては、種々のものが提案されており、例えば、複数枚の鋼板とゴムシートとを交互に積層させて積層体を構成し、この積層体の上下面に上下面板を固定した免震装置、またこのような鋼板とゴムシートとを交互に積層させた積層体に鉛直方向に貫通穴を形成し、この貫通穴に円柱状の鉛プラグを挿填して封じ込めた免震装置、更に複数枚の鋼板を積層させた積層体に鉛直方向に貫通穴を形成し、この貫通穴に円柱状のゴム棒を挿填して封じ込めた免震装置、鋼板とゴムシートとを交互に積層させた積層体の内部に鉛プラグを外側から保護リング部材で覆いったものを内装した免震装置、更に積層ゴムに鉛プラグを静水圧状態で封じ込めた免震装置や、積層ステンレス鋼板に鉛核を入れ、剪断変形の一様化のために金属ピンを挿通させた免震装置等が知られている。
【０００３】
【発明が解決しようとする課題】
然しながら、上記のような従来の免震装置は、ビルや橋梁等の巨大重量物の構造物の免震装置であって、一般住宅用の中小地震に対する免震装置としては適用することが難しく、また中小地震時の横揺れに対する減衰効果と復元性とを持たせた構造にはなっていないのが現状である。
【０００４】
この発明の目的は、基礎または土台と一戸建て住宅等の軽量構造物や、他の一般の構造物との間に介在させ、中小地震にも減衰効果と復元性とを持たせた滑り免震装置を提供することにある。
【０００５】
【課題を解決するための手段】
この発明は上記目的を達成するため、複数枚の摺動板を互いに摺動可能に積層させて積層体を構成し、該積層体の平面部に、鉛直方向に複数の貫通穴を形成し、この複数の貫通穴のうち少なくとも一つにゴム状弾性体から成るゴムプラグを挿填し、残りの少なくとも一つの貫通穴に鉛プラグを挿填させて成り、前記鉛プラグを挿填する穴を円錐状に形成し、該円錐状の穴に円錐状に形成した鉛プラグを挿填すると共に、ネジを切った栓で封じ込めるようにしたことを要旨とするものである。また、前記積層体の平面部に形成した複数の貫通穴のうち少なくとも一つにゴム状弾性体から成るゴムプラグを挿填し、残りの少なくとも一つの貫通穴に鉛プラグを挿填させ、前記積層体の上下面及び周面を所定の厚さのゴム状弾性材料で被覆したことを要旨とするものである。また、前記積層体の平面部に形成した複数の貫通穴のうち少なくとも一つにゴム状弾性体から成るゴムプラグを挿填し、残りの少なくとも一つの貫通穴に鉛プラグを挿填させ、前記積層体の貫通穴に挿填させたゴムプラグを、積層体の上下面を覆うゴム状弾性材料と連続して形成したことを要旨とするものである。
【０００６】
また、この発明の別の滑り免震装置は、複数枚の摺動板を互いに摺動可能に積層させて積層体を構成し、該積層体の平面部に、鉛直方向に複数の貫通穴を形成し、この複数の貫通穴のうち少なくとも一つにゴム状弾性体から成るゴムプラグを挿填し、残りの少なくとも一つの貫通穴に、鉛プラグ、ガラスまたは樹脂製の複数のビーズ球、或いは複数の鋼球から成る球体を複数のゴム状弾性体袋に入れて挿填し、前記積層体の上下面及び周面を所定の厚さのゴム状弾性材料で被覆したことを要旨とするものである。また、前記積層体の貫通穴に挿填させたゴムプラグを、積層体の上下面を覆うゴム状弾性材料と連続して形成したことを要旨とするものである。
【０００７】
また、この発明のさらに別の滑り免震装置は、複数枚の摺動板を互いに摺動可能に積層させて積層体を構成し、該積層体の平面部に、鉛直方向に複数の貫通穴を形成し、この複数の貫通穴のうち少なくとも一つにゴム状弾性体から成るゴムプラグを挿填し、残りの少なくとも一つの貫通穴に、ワイヤー束ダンパーを挿填し、前記積層体の上下面及び周面を所定の厚さのゴム状弾性材料で被覆したことを要旨とするものである。また、前記積層体の貫通穴に挿填させたゴムプラグを、積層体の上下面を覆うゴム状弾性材料と連続して形成したことを要旨とするものである。
【０００８】
更に、この発明は、積層体の平面部に、鉛直方向に複数の貫通穴と複数のテーパ状の穴を形成し、このテーパ穴に風力により昇降するテーパー状の振動ストッパー部材を挿入したことを要旨とするものである。
このように、例えば、ポリテトラフルオロエチレン（ＰＴＦＥ）加工等で表面処理した複数枚の摺動板を互いに摺動可能に積層させて積層体を構成し、該積層体の平面部に、鉛直方向に複数の貫通穴を形成し、この貫通穴に減衰効果と復元性を持たせるための部材を夫々挿填させることで、特に一般住宅用の免震装置として、中小地震から減衰効果と復元性とを有効に持たせてコンパクトに実現出来るものである。
【０００９】
【発明の実施の形態】
以下、添付図面に基づき、この発明の実施形態を説明する。
図１は、この発明の第１実施形態を示す免震装置の断面図を示し、この免震装置本体１は、一戸建て住宅等の一般住宅の地盤側のコンクリート等の基礎または土台Ｇと、構造物の土台梁Ｗとの間の所定位置に設置するものである。
【００１０】
前記免震装置本体１の構成は、ポリテトラフルオロエチレン（ＰＴＦＥ）加工で表面処理した複数枚のステンレス鋼板２を互いに摺動可能に積層させて積層体３を構成し、この積層体３の平面部には、鉛直方向に所定の間隔で複数の貫通穴４を形成する。
前記複数の貫通穴４の少なくとも一つには、復元性を持たせるためのゴム状弾性体から成るゴムプラグ５を挿填すると共に、残りの貫通穴４の少なくとも一つには、減衰効果を得るための鉛プラグ６とをそれぞれ挿填させて固定する。
【００１１】
なお、複数の貫通穴４のそれぞれに、ゴムプラグ５及び鉛プラグ６をそれぞれ挿填し、更に残った貫通穴４には、ガラスまたは樹脂製の複数のビーズ球や、複数の鋼球から成る球体を複数のゴム状弾性体袋、或いはワイヤー束ダンパー等を挿填することも可能である。
また、前記積層体３の上下面は、上部面板７ａと下部面板７ｂとが固定してある。
【００１２】
前記積層体３の平面形状は、基礎または土台Ｇの形状に対応させて任意の形状に形成するもので、例えば、図２に示すように、積層体３の平面形状を十字状に形成して、積層体３に鉛直方向に所定の間隔で複数の貫通穴４を形成し、この貫通穴４の少なくとも一つには、復元性を持たせるためのゴム状弾性体から成るゴムプラグ５を挿填すると共に、残りの貫通穴４の少なくとも一つには、減衰効果を得るための鉛プラグ６とをそれぞれ挿填させて固定する。
【００１３】
なお、複数の貫通穴４のそれぞれに、ゴムプラグ５及び鉛プラグ６をそれぞれ挿填し、更に残った貫通穴４には、ガラスまたは樹脂製の複数のビーズ球や、複数の鋼球から成る球体を複数のゴム状弾性体袋、或いはワイヤー束ダンパー等を挿填することも可能である。
なお、積層体３の平面形状の他の形態としては、Ｌ，Ｘ，Ｔ，Ｙ等のアルファベットの文字状や、円形状，円盤状，矩形状，三角形状等、基礎または土台Ｇに対応させて任意の形状に形成することも可能である。
【００１４】
図３は、この発明の第２実施形態を示す免震装置の断面図を示し、この実施形態は、積層体３の上下面及び周面を所定の厚さのゴム状弾性材料８で被覆し、鉛直方向の荷重，振動に対して鉛直バネ機能を具備させたものである。なお、その他の構成は上記第１実施形態と同様なので、同一符号を付して説明は省略する。
図４は、この発明の第３実施形態を示す免震装置の断面図を示し、この実施形態は、積層体３の貫通穴４に挿填させたゴムプラグ５を、積層体３の上下面を覆うゴム状弾性材料８と連続して形成したもので、免震装置本体１の復元性を更に良好なものとしたものである。なお、その他の構成は上記第１実施形態と同様なので、同一符号を付して説明は省略する。
【００１５】
図５は、この発明の第４実施形態を示す免震装置の断面図を示し、この実施形態は、積層体３の貫通穴４に挿填した鉛プラグ６を、ネジを切った栓９で封じ込めるように構成したもので、鉛プラグ６の断面を変化させることで、減衰効果を変化させ、中小地震に対して対応させるようにしたものである。なお、その他の構成は上記第１実施形態と同様なので、同一符号を付して説明は省略する。
【００１６】
図６は、この発明の第５実施形態を示す免震装置の断面図を示し、この実施形態は、積層体３の鉛プラグ６ａを挿填する穴１０を円錐状に形成し、該円錐状の穴１０に円錐状に径変化させて形成した鉛プラグ６ａを挿填すると共に、ネジを切った栓９ａで封じ込めるように構成したもので、中小地震に対して対応させるようにしたものである。なお、その他の構成は上記第１実施形態と同様なので、同一符号を付して説明は省略する。
【００１７】
図７は、この発明の第６実施形態を示す免震装置の断面図を示し、この実施形態は、ポリテトラフルオロエチレン（ＰＴＦＥ）加工で表面処理した複数枚のステンレス鋼板を互いに摺動可能に積層させて積層体３を構成し、該積層体３の平面部に、鉛直方向に複数の貫通穴４ａを形成し、この複数の貫通穴４ａの少なくとも一つにゴムプラグ５を、他の少なくとも一つにガラスまたは樹脂製の複数のビーズ球、或いは複数の鋼球からなる球体１１をゴム状弾性体袋１２に入れて挿填し、この球体１１により中小地震に対する減衰効果を発揮させるようにしたものである。
【００１８】
また残りの複数の貫通穴４ａのそれぞれに、ゴムプラグ５または鉛プラグ６をそれぞれ挿填することも可能である。なお、その他の構成は上記第１実施形態と同様なので、同一符号を付して説明は省略する。
図８は、この発明の第７実施形態を示す免震装置の断面図を示し、この実施形態は、ポリテトラフルオロエチレン（ＰＴＦＥ）加工で表面処理した複数枚のステンレス鋼板を互いに摺動可能に積層させて積層体３を構成し、該積層体３の平面部に、鉛直方向に複数の貫通穴４ｂを形成し、この複数の貫通穴４ｂの少なくとも一つにゴムプラグ５を、他の少なくとも一つにワイヤー束ダンパー１３を挿填して構成したもので、中小地震に対する減衰効果を発揮させるようにしたものである。また残りの複数の貫通穴４ａに、鉛プラグ６を挿填することも可能である。
【００１９】
前記ワイヤー束ダンパー１３としては、金属もしくはプラスチックから成る複数本の素線を束ねて構成したものを用いる事が出来るものである。また、ワイヤー束ダンパー１３は、素線を編組もしくは撚り合わせ、または平行に配設して、加締め部材により束ねて構成し、また素線ダンパーの素線断面形状としては、円形，楕円形または多角形であることが好ましい。また、前記素線ダンパーの素線を、靱性の高いエンジニアリングプラスチックで構成することも可能である。
【００２０】
なお、その他の構成は上記第１実施形態と同様なので、同一符号を付して説明は省略する。
図９は、この発明の第８実施形態を示す免震装置の断面図を示し、この実施形態は、上述した積層体３の平面部に、鉛直方向のテーパ状の穴１４を形成し、このテーパ穴１４に風力により出入りするテーパー状の風力振動ストッパー部材１５を挿入して構成したものである。
【００２１】
例えば、風力センサーによって、構造物の横揺れが、強風等の風加重によるものか、地震力によるものであるかを瞬時に判別して、風力振動ストッパー部材１５を機械的または電気的に出し入れさせる構成により達成出来るものである。
この風力振動ストッパー部材１５を積層体３のテーパ状の穴１４に挿入させることで、風力による振動を抑えることが出来るものである。なお、その他の構成は上記第１実施形態と同様なので、同一符号を付して説明は省略する。
【００２２】
【発明の効果】
この発明は、上記のように基礎または土台と一戸建て住宅等の軽量構造物や、他の一般の構造物との間に介在させ、中小地震に対する横揺れ，上下振動に対して減衰効果と復元性とを持たせた免震効果を発揮させることが出来る。
【図面の簡単な説明】
【図１】  この発明の第１実施形態を示す免震装置の断面図である。
【図２】免震装置本体の平面を示す斜視図である。
【図３】この発明の第２実施形態を示す免震装置の断面図である。
【図４】この発明の第３実施形態を示す免震装置の断面図である。
【図５】この発明の第４実施形態を示す免震装置の断面図である。
【図６】この発明の第５実施形態を示す免震装置の断面図である。
【図７】この発明の第６実施形態を示す免震装置の断面図である。
【図８】この発明の第７実施形態を示す免震装置の断面図である。
【図９】この発明の第８実施形態を示す免震装置の断面図である。
【符号の説明】
１  免震装置本体                  ２  ステンレス鋼板
３  積層体            ４，４ａ，４ｂ  貫通穴
５  ゴムプラグ              ６，６ａ  鉛プラグ
７ａ  上部面板                    ７ｂ  下部面板
８  ゴム状弾性材料                ９  ネジを切った栓
１０  穴                          １１  球体
１２  ゴム状弾性体袋              １３  ワイヤー束ダンパー
１４  穴                          １５  風力振動ストッパー部材
Ｇ  基礎または土台                Ｗ  土台梁
【図１】
0003884852.tif 000002
【図２】
0003884852.tif 000003
【図３】
0003884852.tif 000004
【図４】
0003884852.tif 000005
【図５】
0003884852.tif 000006
【図６】
0003884852.tif 000007
【図７】
0003884852.tif 000008
【図８】
0003884852.tif 000009
【図９】
0003884852.tif 000010